(57)【要約】【課題】機械室レス形式のエレベータのように作業スペースが狭い場合でも、効率よく経済的にロープ交換を行なえるエレベータのロープ交換方法の提供。【解決手段】乗りかご４およびつり合いおもり５をそれぞれ保持し、巻上シーブ７ａの回転制御ブレーキを開放した状態で、巻上機７の駆動力を使用せずに操作ハンドルの操作で第２のドラム１５を回転させて既設ロープ６を巻き取るとともに、既設ロープ６に連結した新ロープ１８を第１のドラム１４より一定のテンションを保ちつつ送り出し、これらのロープ６，１８を昇降路１内の各プーリやシーブに順次掛回すことにより、既設ロープ６を新ロープ１８と交換する。【選択図】        図２
2005008289.tif 000002
【特許請求の範囲】
【請求項１】
両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換方法において、
前記乗りかごの天枠に、新ロープを送り出す第１のドラムおよび既設ロープを巻き取る第２のドラムを備えたロープドラムユニットを載置する工程と、前記乗りかごを前記昇降路の上部近傍で保持し、前記つり合いおもりを前記昇降路の下部近傍で保持する工程と、前記既設ロープの内、少なくとも２本の既設ロープの一端を前記ロープ固定部から取り外しまたは切り離して前記新ロープの一端に連結する工程と、前記少なくとも２本の既設ロープの他端を前記ロープ固定部から取り外しまたは切り離し、前記少なくとも２本の既設ロープの他端側を前記第２のドラムに連結する工程と、前記第２のドラムを回転させて前記少なくとも２本の既設ロープを巻き取るとともに、前記第１のドラムが回転して前記新ロープを送り出すことにより、前記既設ロープと前記新ロープを交換する工程とを有することを特徴とするエレベータの主ロープ交換方法。
【請求項２】
前記ロープドラムユニットを前記乗りかごに載せるドラムベース体を設ける工程と、前記第１のドラムに、交換する所定のロープ長さに合った前記新ロープをあらかじめ巻き付ける工程を含むことを特徴とする請求項１に記載のエレベータの主ロープ交換方法。
【請求項３】
前記昇降路の上部付近に、前記既設ロープが巻き掛けられるロープ返しプーリユニットを設ける工程を含むことを特徴とする請求項１に記載のエレベータの主ロープ交換方法。
【請求項４】
前記新ロープを送り出す前記第１のドラムに抑制ブレーキを掛ける工程と、前記既設ロープが掛かっている前記巻上機のブレーキを開放する工程とを含むことを特徴とする請求項１に記載のエレベータの主ロープ交換方法。
【請求項５】
前記既設ロープの端部にロープ固定支持具を取り付ける工程と、前記第２のドラムのドラム壁部に設けたロープ端部固定穴に、前記ロープ固定支持具を装着する工程とを含むことを特徴とする請求項１に記載のエレベータの主ロープ交換方法。
【請求項６】
両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータのロープ交換装置において、
前記乗りかごを前記昇降路の上部近傍で保持する乗りかご保持部と、前記つり合いおもりを前記昇降路の下部近傍で保持するおもり保持部と、新ロープを送り出す第１のドラムおよび既設ロープを巻き取る第２のドラムを備えたロープドラムユニットと、前記既設ロープの内、少なくとも２本の既設ロープと前記新ロープとを連結するロープ接続部とを備えたことを特徴とするエレベータの主ロープ交換装置。
【請求項７】
前記第２のドラムを、操作ハンドルに連結したドラム軸と連動させるとともに、前記第１のドラムを前記ドラム軸に対して回転自在に設けたことを特徴とする請求項６に記載のエレベータの主ロープ交換装置。
【請求項８】
前記第１のドラムから前記新ロープを送り出す動作を抑制するブレーキ部材を設けたことを特徴とする請求項６または７に記載のエレベータの主ロープ交換装置。
【請求項９】
前記第１のドラムと第２のドラムをそれぞれロープ毎に個別に設けたことを特徴とする請求項６または７に記載のエレベータの主ロープ交換装置。
【請求項１０】
前記ロープドラムユニットに、前記第１のドラムおよび第２のドラムを回転可能に支持するドラム支持体を設けたことを特徴とする請求項６に記載のエレベータの主ロープ交換装置。
【請求項１１】
前記第２のドラムのドラム壁部に、複数個のロープ端部固定穴を設けたことを特徴とする請求項６に記載のエレベータの主ロープ交換装置。
【請求項１２】
前記昇降路の上部付近に、前記既設ロープが巻き掛けられるロープ返しプーリユニットを設けたことを特徴とする請求項６または７に記載のエレベータの主ロープ交換装置。
【請求項１３】
前記ロープ返しプーリユニットは、前記既設ロープを前記かご下プーリから垂直に立ち上げて通過させるロープ受けと、このロープ受けを通過した前記既設ロープを前記第２のドラムに垂下させるローププーリとを備えたことを特徴とする請求項１２に記載のエレベータの主ロープ交換装置。
【発明の詳細な説明】
【０００１】
【発明の属する技術分野】
本発明は、乗りかごおよびつり合いおもりを駆動する複数本のロープの交換を行なうエレベータのロープ交換方法および交換装置に関する。
【０００２】
【従来の技術】
従来、機械室を有する２：１ローピング形式のエレベータにおいて、つり合いおもりを昇降路下部で支持体により保持し、乗りかごを昇降路上部で吊り上げ手段により吊り上げた後、ロープ保持体をつり合いおもりの上方に配置して既設ロープを保持し、この既設ロープの一端をロープ止め金具から切り離して新設ロープに接続し、次に既設ロープの他端（乗りかご側端部）をロープ止め金具から切り離してドラムに取り付けて、巻上機を低速で作動させて既設ロープをドラムに巻き取るとともに、ドラムから新ロープを送り出して順次掛け回した後、新ロープの一端を既設ロープから切り離してロープ止め金具に接続し、新ロープの他端も他のロープ止め金具に接続するエレベータの主ロープ交換方法が提案されている（例えば、特許文献１参照。）。
【０００３】
また近年、省スペースのニーズから、巻上機が昇降路内の上部または下部に設置される機械室レス形式のエレベータが提案されている（例えば、特許文献２、３参照。）。
【０００４】
【特許文献１】
特開平２‐２４９８８５号公報
（４頁、右上欄１５行目〜５頁、左上欄１４行目、第１、２図）
【０００５】
【特許文献２】
特表平１０‐５０６８７１号公報
（４頁、２６行目〜５頁、２行目、第１図）
【０００６】
【特許文献３】
特開平１１‐１３０３６５号公報
（段落番号００２６、００２７、図４）
【０００７】
【発明が解決しようとする課題】
ところで、上述した従来技術では、ロープ交換の際に乗りかごおよびつり合いおもりの荷重がロープにかかっていない状態では、巻上機の巻上シーブによりロープを送り出す駆動力を得られないことから、実際には巻上機の巻上シーブとロープの間で摩擦力を付与するロープを押え付け装置を設置する必要があった。
【０００８】
また特に、機械室レス形式のエレベータに上記の主ロープ交換方法を適用する場合、狭い昇降路の中で作業を行う必要があり、また、巻上シーブの回りにもスペースが必要なことから、その取り付けが困難であるため、作業効率が悪いだけでなく、装置費用がかかることから経済的にも問題があった。なお、機械室を有するエレベータでは、ロープ交換の際の作業スペースとして機械室が利用できることから、ロープ押え付け装置を巻上機に自由に取り付けることができる。
【０００９】
本発明は、上記のような従来技術における実状を鑑みてなされたもので、その目的は、機械室レス形式のエレベータのように作業スペースが狭い場合でも、効率よく経済的にロープ交換を行なうことのできるエレベータの主ロープ交換方法および交換装置を提供することにある。
【００１０】
【課題を解決するための手段】
上記目的を達成するため、本発明の請求項１に係る発明は、両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換方法において、前記乗りかごの天枠に、新ロープを送り出す第１のドラムおよびこの第１のドラムと同一方向に回転するように連結される第２のドラムを備えたロープドラムユニットを載置する工程と、前記乗りかごを前記昇降路の上部近傍で保持し、前記つり合いおもりを前記昇降路の下部近傍で保持する工程と、前記既設ロープの内、少なくとも２本の既設ロープの一端を前記ロープ固定部から取り外しまたは切り離して前記新ロープの一端に連結する工程と、前記少なくとも２本の既設ロープの他端を前記ロープ固定部から取り外しまたは切り離し、前記少なくとも２本の既設ロープの他端側を前記第２のドラムに連結する工程と、前記第２のドラムを回転させて前記少なくとも２本の既設ロープを巻き取るとともに、前記第１のドラムが回転して前記新ロープを送り出すことにより、前記既設ロープと前記新ロープを交換する工程とを有する構成にした。
【００１１】
また、上記目的を達成するため、本発明の請求項６に係る発明は、両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータのロープ交換装置において、前記乗りかごを前記昇降路の上部近傍で保持する乗りかご保持部と、前記つり合いおもりを前記昇降路の下部近傍で保持するおもり保持部と、新ロープを送り出す第１のドラムおよび既設ロープを巻き取る第２のドラムを略同一軸上に連結したロープドラムユニットと、前記既設ロープの内、少なくとも２本の既設ロープの一端を前記新ロープの一端に連結するロープ接続部とを備えた構成にした。
【００１２】
このように本発明では、乗りかごおよびつり合いおもりをそれぞれ保持し、巻上機の駆動力を使用せずに第２のドラムを回転させることにより２本以上の既設ロープを巻き取るとともに、これらの既設ロープに連結した新ロープを第１のドラムより送り出し、これらのロープを昇降路内の各プーリやシーブに順次掛回すことにより、２本以上の既設ロープを新ロープと交換した後、他の既設ロープが残っている場合には同様の手順で新ロープと交換するようになっている。これにより、巻上機の巻上シーブにロープ押え付け装置を取り付ける必要がなくて済むので、機械室レス形式のエレベータのように作業スペースが狭い場合でも、効率よく経済的にロープ交換を行なえる。
【００１３】
【発明の実施の形態】
以下、本発明のエレベータの主ロープ交換方法および交換装置の実施の形態を図に基づいて説明する。
【００１４】
図１は本発明の一実施形態に係るエレベータの主ロープ交換方法を示すフローチャート、図２は本実施形態に係るエレベータの主ロープ交換装置を示す縦断面図、図３は本実施形態の主ロープ交換装置に設けられるロープドラムユニットを乗りかご上へ載置する工程を示す縦断面図、図４は本実施形態の主ロープ交換装置に設けられるロープ接続部の正面図、図５はロープがプーリに巻き掛けられた状態を示す説明図、図６は本実施形態の主ロープ交換装置に設けられるロープドラムユニットの側面図、図７は本実施形態の主ロープ交換装置に設けられるロープドラムユニットの正面図、図８は図７のロープドラムユニットの軸部を拡大して示す説明図、図９は図７のロープドラムユニットのロープ固定支持具を拡大して示す説明図である。
【００１５】
図２、図３に示すエレベータは、昇降路１の全行程に渡り立設されるガイドレール２と、このガイドレール２により案内され、昇降路１の階床３ａ、３ｎ間を昇降する乗りかご４と、この乗りかご４と相対して昇降路１内を昇降するつり合いおもり５と、これらの乗りかご４およびつり合いおもり５を吊り上げる複数本の既設ロープ６と、昇降路１の下部１ａに設置され、既設ロープ６を駆動する巻上機７とを備えている。
【００１６】
図３に示すように既設ロープ６は、一端６ａが昇降路１の上部１ｂ付近にロープ固定部９で連結されるとともに、既設ロープ６の中間部が、乗りかご４の下部に取り付けられるかご下プーリ４ａと、昇降路１の上部１ｂ付近の上部ビーム８に設けられる転向プーリ８ａと、巻上機７の巻上シーブ７ａと、上部ビーム８に設けられる他の転向プーリ８ｂと、つり合いおもり５の上部に設けられるおもりプーリ５ａとに順次掛回されて、既設ロープ６の他端６ｂが昇降路１の上部１ｂ付近に他のロープ固定部１０で連結されている。
【００１７】
そして、本実施形態の主ロープ交換装置は、図２に示すように、巻上機７の巻上シーブ７ａの回転制御用ブレーキを開放する開放レバー７ｂと、乗りかご４上に載置される設置されるロープドラムユニット１３と、乗りかご４を昇降路１の上部１ｂ近傍で保持する乗りかご保持部、例えばワイヤ１９と、つり合いおもり５を昇降路１の下部１ａ近傍で保持するおもり保持部、例えばジャッキサポート２０と、既設ロープ６とそれぞれ交換用の新ロープ１８とを接続するロープ接続部２１と、上部ビーム８の両端にそれぞれワイヤ３１、３３を介して仮設される仮設滑車３２、３４と、図９に示すロープ固定支持具２４とを有している。
【００１８】
図６、図７に示すように、ロープドラムユニット１３は、略同一軸上に配置され、３本の新ロープ１８を送り出す第１のドラム１４および３本の既設ロープ６を巻き取る第２のドラム１５と、これらのドラム１４，１５を回転可能に支持するドラム支持体１６と、このドラム支持体１６の下部に取り付けられるローラ１７とから構成されており、第１のドラム１４と第２のドラム１５はそれぞれロープ毎に個別に設けられている。
【００１９】
ドラム支持体１６は、ドラム１４，１５の中心部に挿入されるドラム軸１３ａと、このドラム軸１３ａの両端を受ける一対の軸受け１３ｂと、この一対の軸受け１３ｂを介してドラム軸１３ａを支持するフレーム部材１３ｃと、ドラム軸１３ａをギヤ１３ｄを介して回転させる操作ハンドル１３ｅとを有している。フレーム部材１３ｃには、ドラム１４，１５を受けるドラム受けベース１３ｆと、このドラム受けベース１３ｆを昇降させるジャッキボルト１３ｇと、第１のドラム１４の回転を制御し、新ロープ１８を送り出す動作を抑制するブレーキ部材１３ｈとが装着されている。
【００２０】
第１のドラム１４は、ドラム軸１３ａに対して回転自在に設けられ、その回転はブレーキ部材１３ｈにより抑制される。第１のドラム１４のドラム径Ｌ２は、新ロープ１８を痛めないために所定の最小径が定められている。
【００２１】
第２のドラム１５は、ドラム軸１３ａに対して図８に示すキー１３ｊを介して連結されており、ドラム軸１３ａに装着される操作ハンドル１３ｅを回転させると、第２のドラム１５は同一方向に連動して回転し、このときにギヤ１３ｄを介することにより、操作ハンドル１３ｅを回転させる力が低減する。第２のドラム１５のドラム径Ｌ１は、交換する既設ロープ６を巻き取るので、ドラム径Ｌ１の大小には制限がないが、既設ロープ６の硬さに可能な限りドラム径Ｌ１を最小径としている。作業者は既設ロープ６の自重、および巻上機７の巻上シーブ７ａなどの走行抵抗力に対して、操作ハンドル１３ｅを回転させて既設ロープ６を巻き取る際、ドラム径Ｌ１と自重と走行抵抗力による回転トルクが必要であり、この回転トルクを小さくするため、ドラム径Ｌ１を可能な限り小さくすることにより省力化ができる。
【００２２】
また、ドラム１４，１５の中心部に挿入したドラム軸１３ａをフレーム部材１３ｃの両側の軸受け１３ｄで支持することにより、ギヤ１３ｄにドラム１４、１５の荷重が掛かることを回避した構成としてある。
【００２３】
図４に示すように既設ロープ６と新ロープ１８とを接続するロープ接続部２１の直径Ｄは、既設ロープ６と新ロープ１８の各直径ｄ以上となるとともに、この直径Ｄは、図５に示すように、かご下プーリ４ａ、およびおもりプーリ５ａのロープ溝２３と外れ止め２２との隙間δ未満となるように設定されている。
【００２４】
図９に示す第２のドラム１５のドラム壁部１５ａには、図示しない複数個のロープ端部固定穴が設けられており、ロープ固定支持具２４は、ロープ端部固定穴に挿入されるボルト２５と、このボルト２５の両端にそれぞれに螺合するナット２６などとから構成され、既設ロープ６端部の２本のストランド６ｃと残りストランドで挟み、第２のドラム１５が回転しても外れないようにしてある。
【００２５】
そして、本実施形態の主ロープ交換方法にあっては、図１に示す作業手順にしたがって複数本の既設ロープ６を新ロープ１８に交換するようになっている。すなわち、３本の必要長さ分の新ロープ１８をあらかじめ第１のドラム１４に巻き付けておき、図３に示すように、手順Ｓ１として乗りかご４の上にドラムベース体１２を取り付けて、昇降路１の上部階床３ｎにロープドラムユニット１３を用意し、ドラムベース体１２と上部階床３ｎとの間に搬入搬出用プレート１２ａを渡した後、このプレート１２ａ上でローラ１７を回転させてロープドラムユニット１３を乗りかご４上のドラムベース体１２に載置する。
【００２６】
次に手順Ｓ２として、図２に示すように昇降路１の上部１ｂ付近で既設ロープ６の端部６ａ、６ｂを外す作業と交換後の新ロープ１８の固定作業を行なえる位置に乗りかご４の上部４ｂがくるように乗りかご４を停止させ、その位置でレールブラケット２ａよりワイヤ１９を介して乗りかご４を保持した後、手順Ｓ３として、つり合いおもり５の下部にジャッキサポート２０を設置し、つり合いおもり５の荷重が既設ロープ６にかからなくなるようにジャッキサポート２０でつり合いおもり５を上昇させて保持する。
【００２７】
次に手順Ｓ４として、図２に示すように、昇降路１の下部１ａで開放レバー７ｂを操作して巻上シーブ７ａの回転制御ブレーキを開放し、手順Ｓ５として、３本の既設ロープ６の他端６ｂを昇降路１の上部１ｂのロープ固定部１０から外して、３本の新ロープ１８の一端１８ａを第１のドラム１４から取り出してロープ接続部２１を介して既設ロープ６の他端６ｂと接続し、上部ビーム８よりワイヤ３３で吊下げた仮設滑車３４を介して昇降路１内の各プーリへ引き出す。なお、上記の手順Ｓ４と手順Ｓ５間でつり合いおもり５を保持して、開放レバー７ｂで巻上シーブ７ａの回転制御ブレーキを開放した後、乗りかご４を安全に、かつ、作業しやすい位置に吊り上げる作業を行ってもかまわない。
【００２８】
また手順Ｓ６として、３本の既設ロープ６の一端６ａを昇降路１の上部１ａのロープ固定部９から外して上部ビーム８よりワイヤ３１で吊下げた仮設滑車３２に巻き掛けて、この既設ロープ６の一端６ａにロープ固定支持具２４を装着し、ロープ固定支持具２４を第２のドラム１５のロープ端部固定穴に挿入することにより既設ロープ６の一端６ａを第２のドラム１５に接続する。その際に、第２のドラム１５に、新ロープ１８の第１のドラム１４への巻き付け方向と逆方向に既設ロープ６の一端６ａを巻くように接続する。
【００２９】
次いで手順Ｓ７として、ブレーキ部材１３ｈをゆるめて第１のドラム１４を回転可能な状態にし、操作ハンドル１３ｅの操作により第２のドラム１５を回転させて既設ロープ６を第２のドラム１５に巻き取ることにより、既設ロープ６が通るかご下プーリ４ａ、転向プーリ８ａ、巻上シーブ７ａ、転向プーリ８ｂ、およびおもりプーリ５ａを介する全ての部分において新ロープ１８に置換える。次いで手順Ｓ８として、既設ロープ６を全て第２のドラム１５に巻取った時点で、新ロープ１８の一端１８ａをロープ接続部２１から切離し、昇降路１の上部１ｂのロープ固定部９に端末処理をして連結する。その後、手順Ｓ９として、新ロープ１８を所定長さに切断、端末処理して昇降路１の上部１ｂのロープ固定部１０に連結する。
【００３０】
このようにして３本の既設ロープ６を新ロープ１８と交換した後、他の既設ロープ６が残っている場合には上記の手順Ｓ５〜手順Ｓ９を繰り返すことによって新ロープ１８と交換し、次いで、手順Ｓ１０として乗りかご４およびつり合いおもり５の保持状態を解除し、手順Ｓ１１として巻上シーブ７ａのブレーキ開放状態を解除して、ロープドラムユニット１３を乗りかご４から下ろすことで一連のロープ交換作業を完了する。
【００３１】
このように構成した本実施形態では、乗りかご４およびつり合いおもり５をそれぞれ保持し、巻上シーブ７ａの回転制御ブレーキを開放することにより既設ロープ６を交換するときのロープ移動の抵抗を解除した状態で、巻上機７の駆動力を使用せずに第２のドラム１５を回転させて既設ロープ６を巻き取るとともに、これらの既設ロープ６に連結した新ロープ１８を第１のドラム１４より送り出し、これらのロープ６、１８を昇降路１内の各プーリやシーブに順次掛回すことにより、既設ロープ６を新ロープ１８と交換するので、巻上機７の巻上シーブ７ａにロープ押え付け装置を取り付ける必要がなくて済み、機械室レス形式のエレベータのように作業スペースが狭い場合でも、効率よく経済的にロープ交換を行なえる。
【００３２】
また、本実施形態では、ロープドラムユニット１３のブレーキ部材１３ｈにより第１のドラム１４から新ロープ１８を送り出す動作を抑制するとともに、操作ハンドル１３ｅを回転させることにより、第２のドラム１５に巻きつく既設ロープ６の長さと第１のドラム１４から送り出される新ロープ１８の長さを等しくしているので、これらのロープ６，１８のロープテンションが緩むことなく一定なテンションが掛かった状態を保ってロープ６，１８が各プーリ溝から外れたり、昇降路内機器に引っ掛かることを防止でき、ロープ交換を円滑に行うことができる。
【００３３】
また、本実施形態では、３本の既設ロープ６を同時に交換する場合に、第１のドラム１４からの新ロープ１８の送り出しと、第２のドラム１５への既設ロープ６の巻き付けとに誤差が発生するが、第１のドラム１４がロープ毎に独立して回転可能な構成としていることから、ロープテンションをロープ毎に均一に微調整することができ、その結果、３本の既設ロープ６の同時交換を容易に行なえる。
【００３４】
また、本実施形態では、図４、図５に示すように、ロープ接続部２１の直径Ｄを、おもりプーリ５ａおよびかご下プーリ４ａのロープ溝２３とロープ外れ止め２２との隙問δ以下となるように接続してあることから、既設ロープ６と新ロープ１８は各プーリ４ａ、５ａにおいてロープ外れ止め２２を取外すことなく通過することができる。さらに、ロープ接続部２１の直径Ｄは既設ロープ６と新ロープ１８の直径ｄ以上となるように接続してあることから、ロープ溝２３から外れることなくロープ交換が可能である。
【００３５】
なお、上記実施形態では、乗りかご４をレールブラケット２ａよりワイヤ１９で吊り下げ保持する構成で述べたが、他の構成であっても乗りかご４を昇降路１の上部１ｂに保持できればよく、例えば乗りかご４の非常止め装置等を使用して保持した場合でも同様の効果がある。
【００３６】
さらに、上記実施形態では、つり合いおもり５をジャッキサポート２０にて保持する構成についても、同様に他の構成であってもつり合いおもり５を昇降路１の下部１ａに保持して既設ロープ６のテンションを緩ませることができればよく、例えばチェーンブロック等の揚重機にてレールブラケット等に吊り下げて保持する構成としても同様の効果がある。
【００３７】
さらに、上記実施形態では、３本の既設ロープ６の交換を同時に行なう場合に用いられるロープドラムユニット１３を例示したが、既設ロープ６の本数は３本に限定するものではなく、他のロープ本数であっても同様の効果があることは明白である。
【００３８】
さらに、上記実施形態では、ロープ交換時の既設ロープ６の移動方向が乗りかご４のかご下プーリ４ａから入り、つり合いおもり５のおもりプーリ５ａから引き出すように説明したが、逆方向に行なう場合においても同様の効果があり本発明に含まれる。
【００３９】
さらに、上記実施形態では、ロープドラムユニット１３を乗りかご４の上部に設置した場合で説明したが、昇降路１の上部の階床３ｎに配置する場合であっても同様の効果があり、本発明に含まれる。
【００４０】
図１０は本発明の他の実施形態に係わるエレベータの主ロープ交換装置を示す縦断面図である。なお、図１０において前述した図１〜図９に示すものと同等のものには同一符号を付してある。
【００４１】
図１０に示す本実施形態の主ロープ交換装置は、図２に示すものと比べて仮設滑車３２の代わりに、昇降路１の上部１ｂにロープ返しプーリユニット３５を設けたことが異なっており、その他の構成は基本的に同様である。
【００４２】
ロープ返しプーリユニット３５は、既設ロープ６を乗りかご４のかご下プーリ４ａから垂直に立ち上げて通過させるロープ受け３６と、このロープ受け３６を通過した既設ロープ６を第２のドラム１５のドラム幅中心に垂下させるローププーリ３７とを備えている。
【００４３】
この実施形態にあっては、乗りかご４のかご下プーリ４ａから送られる既設ロープ６を昇降路１の上部１ｂ付近でロープ受け３６で無理なく受けて、ローププーリ３７より第２のドラム１５のドラム幅の中心に向けて既設ロープ６を垂下させる。
【００４４】
このように構成した実施形態では、既設ロープ６が第２のドラム１５のドラム幅の中心に垂下するので、第２のドラム１５の回転で既設ロープ６を片寄りすることなく巻き取ることができ、各々の第２のドラム１５が巻き取る量の差を少なくし、片寄り解消時の既設ロープ６と第２のドラム１５のドラム面との衝撃や、緩みの発生を防止できるので、既設ロープ６を円滑に巻き取ることができる。
【００４５】
【発明の効果】
以上説明したように本発明は、巻上機の駆動力を使用せずに第２のドラムを回転させることにより２本以上の既設ロープを巻き取るとともに、これらの既設ロープに連結した新ロープを第１のドラムより送り出し、これらのロープを昇降路内の各プーリやシーブに順次掛回すことにより、２本以上の既設ロープを新ロープと交換するようになっているので、巻上機の巻上シーブにロープ押え付け装置を取り付ける必要がなくて済み、機械室レス形式のエレベータのように作業スペースが狭い場合でも、効率よく経済的にロープ交換を行なえる。
【図面の簡単な説明】
【図１】本発明の一実施形態に係るエレベータの主ロープ交換方法を示すフローチャートである。
【図２】本実施形態に係るエレベータの主ロープ交換装置を示す縦断面図である。
【図３】本実施形態の主ロープ交換装置に設けられるロープドラムユニットを乗りかご上へ載置する工程を示す縦断面図である。
【図４】本実施形態の主ロープ交換装置に設けられるロープ接続部の正面図である。
【図５】ロープがプーリに巻き掛けられた状態を示す説明図である。
【図６】本実施形態の主ロープ交換装置に設けられるロープドラムユニットの側面図である。
【図７】本実施形態の主ロープ交換装置に設けられるロープドラムユニットの正面図である。
【図８】図７のロープドラムユニットの軸部を拡大して示す説明図である。
【図９】図７のロープドラムユニットのロープ固定支持具を拡大して示す説明図である。
【図１０】本発明の他の実施形態に係るエレベータの主ロープ交換装置を示す縦断面図である。
【符号の説明】
１  昇降路
４  乗りかご
４ａ  かご下プーリ
５  つり合いおもり
５ａ  おもりプーリ
６  既設ロープ
７  巻上機
７ａ  巻上シーブ
７ｂ  開放レバー
９，１０  ロープ固定部
１２  ドラムベース体
１３  ロープドラムユニット
１３ａ  ドラム軸
１３ｃ  フレーム部材
１３ｅ  操作ハンドル
１３ｈ  ブレーキ部材
１４  第１のドラム
１５  第２のドラム
１５ａ  ドラム壁部
１６  ドラム支持体
１８  新ロープ
１９  ワイヤ（乗りかご保持部）
２０  ジャッキサポート（おもり保持部）
２１  ロープ接続部
２４  ロープ固定支持具
３１  ワイヤ
３２  仮設滑車
３３  ワイヤ
３４  仮設滑車
３５  ロープ返しプーリユニット
３６  ロープ受け
３７  ローププーリ
【図１】
2005008289.tif 000003
【図２】
2005008289.tif 000004
【図３】
2005008289.tif 000005
【図４】
2005008289.tif 000006
【図５】
2005008289.tif 000007
【図６】
2005008289.tif 000008
【図７】
2005008289.tif 000009
【図８】
2005008289.tif 000010
【図９】
2005008289.tif 000011
【図１０】
2005008289.tif 000012